(57)【要約】【課題】３Ｄ再生信号に対応しないシンク機器に対し３Ｄコンテンツの音声を出力することができる立体映像再生装置の提供。【解決手段】３Ｄコンテンツのストリームデータを出力するデータソース部と、ストリームデータに基づいて３Ｄコンテンツの３Ｄ映像信号および３Ｄコンテンツの音声信号を出力するデータ生成部と、所定の２Ｄ映像信号を発生する２Ｄ映像信号発生器を備え、３Ｄコンテンツの音声信号を受け、３Ｄコンテンツの音声信号および所定の２Ｄ映像信号を、２Ｄ映像伝送用フォーマットに準拠した信号に変換し外部機器へ出力するデータ伝送インタフェースと、を有する、立体映像再生装置である。【選択図】図３
2011155640.tif 000002
【特許請求の範囲】
【請求項１】
３Ｄコンテンツのストリームデータを出力するデータソース部と、
前記ストリームデータに基づいて前記３Ｄコンテンツの３Ｄ映像信号および前記３Ｄコンテンツの音声信号を出力するデータ生成部と、
所定の２Ｄ映像信号を発生する２Ｄ映像信号発生器を備え、前記３Ｄコンテンツの音声信号を受け、前記３Ｄコンテンツの音声信号および前記所定の２Ｄ映像信号を、２Ｄ映像伝送用フォーマットに準拠した信号に変換し外部機器へ出力するデータ伝送インタフェースと、を有する、立体映像再生装置。
【請求項２】
さらに、前記データ伝送インタフェースを制御するコントローラを備え、
前記データ伝送インタフェースは、前記データ生成部から前記３Ｄコンテンツの音声信号とともに前記３Ｄ映像信号を入力することができ、
前記外部機器が前記３Ｄ映像伝送用フォーマットに準拠した信号を受信することができない音声再生装置である場合、前記コントローラは、前記３Ｄコンテンツの音声信号および前記所定の２Ｄ映像信号を前記２Ｄ映像伝送用フォーマットに準拠した信号に変換して出力するように前記データ伝送インタフェースを制御し、
前記外部機器が、前記３Ｄ映像伝送用フォーマットに準拠した信号を受信することができる場合、前記コントローラは、前記３Ｄコンテンツの音声信号および前記３Ｄ映像信号を前記３Ｄ映像伝送用フォーマットに準拠した信号に変換して出力するように前記データ伝送インタフェースを制御する、請求項１に記載の立体映像再生装置。
【請求項３】
前記データ伝送インタフェースは、
前記２Ｄ映像信号発生器が出力する前記所定の２Ｄ映像信号、および、前記データ生成部が出力する前記３Ｄ映像信号を入力し、前記所定の２Ｄ映像信号および前記３Ｄ映像信号のいずれかを選択的に出力する切替回路と、
前記切替回路が出力する信号、および、前記データ生成部が出力する前記３Ｄコンテンツの音声信号を入力し、前記切替回路が出力する信号に前記３Ｄコンテンツの音声信号を重畳して出力する重畳回路と、を備える、請求項２に記載の立体映像再生装置。
【請求項４】
前記所定の２Ｄ映像信号は、映像表示装置における２Ｄ映像表示で用いることができる同期信号を含んでいる、請求項１に記載の立体映像再生装置。
【請求項５】
前記所定の２Ｄ映像信号は、映像再生装置において２Ｄ映像表示された場合に、黒画面として表示される映像信号を含んでいる、請求項１に記載の立体映像再生装置。
【請求項６】
前記データ伝送インタフェースは、ＨＤＭＩインタフェースである、請求項１に記載の立体映像再生装置。
【請求項７】
立体映像再生装置における立体映像再生方法であって、
３Ｄコンテンツのストリームデータに基づいて前記３Ｄコンテンツの３Ｄ映像信号および前記３Ｄコンテンツの音声信号を出力するステップと、
所定の２Ｄ映像信号を発生するステップと、
前記３Ｄコンテンツの音声信号および前記所定の２Ｄ映像信号を、２Ｄ映像伝送用フォーマットに準拠した信号に変換しデータ伝送インタフェースから外部機器へ出力するステップと、を有する立体映像再生方法。
【発明の詳細な説明】
【技術分野】
【０００１】
本発明は、立体視可能な映像（３Ｄ映像）を再生する立体映像再生装置に関し、特に、複数の出力端子を有する立体映像再生装置に関する。
【背景技術】
【０００２】
左右の目に対し、視差を有する映像を提示する事で立体視効果が得られる事が知られている。（以下、二眼式３Ｄ方式と呼ぶ）。二眼式３Ｄ方式の一例として、例えば、特許文献１に記載の技術があり、従来からこの原理を応用した立体映像再生装置が実用化されている。
【０００３】
また、デジタル映像信号およびデジタル音声信号を、著作権を保護しながら伝送できるインタフェースとして、ＨＤＭＩ（High-definition Multimedia Interface）インタフェースが知られる。ＨＤＭＩインタフェースでは、ソース（Source）機器（立体映像再生装置等のデータを送出する機器）からシンク（Sink）機器（ディスプレイやＡＶアンプ等のデータを受け取る機器）に対し、シンク機器の仕様に適したフォーマットで映像信号、および、音声信号、ならびに、制御信号を送出することができる。そのため、映像信号等の伝送を開始する前に、シンク（Sink）機器の構成や状態などが、ＤＤＣ（Display Data Channel）信号を用いてＥＤＩＤ（Extended Display Identification Data）により認証される。
【０００４】
ソース機器は、シンク機器が３Ｄ再生信号に対応していると認証した場合にのみ、ソース機器は、当該シンク機器に対し、ＨＤＭＩを介した３Ｄ再生信号の伝送（3D Over HDMI）を所定の３Ｄ映像伝送フォーマットで行う。ここで、３Ｄ再生信号とは、３Ｄコンテンツの映像信号（３Ｄ映像信号）および該３Ｄコンテンツの音声信号を含んだ信号を指す。また、ここでは、同様に、２Ｄコンテンツの映像信号（２Ｄ映像信号）および該２Ｄコンテンツの音声信号を含んだ信号を２Ｄ再生信号と称する。
【０００５】
しかるに、（３Ｄ映像および当該３Ｄ映像のための音声を含んだ）３Ｄ再生信号を、ＨＤＭＩケーブルを介してソース機器からシンク機器へ所定の３Ｄ映像伝送フォーマットで伝送するには、シンク機器が３Ｄ再生信号に対応している必要がある。
【０００６】
また、近年にあっては、複数系統のＨＤＭＩ出力端子を備えたソース機器（映像再生装置等）も知られる。例えば、２系統のＨＤＭＩ出力端子を備えたソース機器では、各ＨＤＭＩ出力端子をそれぞれ、映像送出用出力端子、音声送出用出力端子として使用し、高音質再生を図る。
【先行技術文献】
【特許文献】
【０００７】
【特許文献１】特開特開平０７−３３６７２９号公報
【発明の概要】
【発明が解決しようとする課題】
【０００８】
近年にあっては、映画などのコンテンツに含まれる音声はマルチチャンネル化されている場合が多い。そのため、マルチチャンネル化された音声を十分に楽しむために、音声の出力には、ＡＶアンプを用いることが多い。そのため、立体映像再生装置に映像表示装置とともにＡＶアンプが接続されて、立体映像再生装置が使用されることが多くなっている。
【０００９】
例えば、複数系統のＨＤＭＩ出力端子を備えた従来の立体映像再生装置に対し、そのＨＤＭＩ端子の１つを介して３Ｄ再生信号に対応した映像表示装置が接続され、別のＨＤＭＩ端子を介して３Ｄ再生信号に対応しないＡＶアンプが接続されて、ＡＶシステムが構成されているとする。
【００１０】
そのようなＡＶシステムにおいて２Ｄコンテンツが再生される場合、立体映像再生装置は、映像表示装置およびＡＶアンプの両方に２Ｄ再生信号を出力する。そうすることで、映像表示装置からは２Ｄコンテンツの２Ｄ映像が出力され、同時に、ＡＶアンプからは２Ｄコンテンツの音声が出力される。
【００１１】
しかしながら、そのようなＡＶシステムにおいては、２Ｄコンテンツの再生の場合と同様にして、３Ｄコンテンツを再生することができない。なぜなら、ＨＤＭＩ規格によれば、立体映像再生装置は、３Ｄ再生信号に対応しないＡＶアンプに対して３Ｄ再生信号を出力することができないためである。つまり、立体映像再生装置から、映像表示装置に対しては３Ｄ再生信号が出力されるが、ＡＶアンプに対しては、３Ｄ再生信号が出力されない。よって、映像表示装置からは３Ｄコンテンツの３Ｄ映像が出力されるものの、ＡＶアンプからは、３Ｄコンテンツの音声が正しく出力されない。
【００１２】
つまり、従来のソース機器は、シンク機器が３Ｄ再生信号に対応していなければ、３Ｄコンテンツの音声を正しく送出することができない、という課題を有していた。
【００１３】
上記従来技術における課題を鑑み、本実施の形態により、３Ｄ再生信号に対応しないシンク機器に対し３Ｄコンテンツの音声を出力することができる、立体映像再生装置が提供される。
【課題を解決するための手段】
【００１４】
一態様は、３Ｄコンテンツのストリームデータを出力するデータソース部と、ストリームデータに基づいて３Ｄコンテンツの３Ｄ映像信号および３Ｄコンテンツの音声信号を出力するデータ生成部と、所定の２Ｄ映像信号を発生する２Ｄ映像信号発生器を備え、３Ｄコンテンツの音声信号を受け、３Ｄコンテンツの音声信号および所定の２Ｄ映像信号を、２Ｄ映像伝送用フォーマットに準拠した信号に変換し外部機器へ出力するデータ伝送インタフェースと、を有する、立体映像再生装置である。
【００１５】
一態様においては、さらに、データ伝送インタフェースを制御するコントローラを備え、データ伝送インタフェースは、データ生成部から３Ｄコンテンツの音声信号とともに３Ｄ映像信号を入力することができ、外部機器が３Ｄ映像伝送用フォーマットに準拠した信号を受信することができない音声再生装置である場合、コントローラは、３Ｄコンテンツの音声信号および所定の２Ｄ映像信号を２Ｄ映像伝送用フォーマットに準拠した信号に変換して出力するようにデータ伝送インタフェースを制御し、外部機器が、３Ｄ映像伝送用フォーマットに準拠した信号を受信することができる場合、コントローラは、３Ｄコンテンツの音声信号および３Ｄ映像信号を３Ｄ映像伝送用フォーマットに準拠した信号に変換して出力するようにデータ伝送インタフェースを制御することが好ましい。
【００１６】
一態様においては、データ伝送インタフェースは、２Ｄ映像信号発生器が出力する所定の２Ｄ映像信号、および、データ生成部が出力する３Ｄ映像信号を入力し、所定の２Ｄ映像信号および３Ｄ映像信号のいずれかを選択的に出力する切替回路と、切替回路が出力する信号、および、データ生成部が出力する３Ｄコンテンツの音声信号を入力し、切替回路が出力する信号に３Ｄコンテンツの音声信号を重畳して出力する重畳回路と、を備えることが好ましい。
【００１７】
一態様においては、所定の２Ｄ映像信号は、映像表示装置における２Ｄ映像表示で用いることができる同期信号を含んでいることが好ましい。
【００１８】
一態様においては、所定の２Ｄ映像信号は、映像再生装置において２Ｄ映像表示された場合に、黒画面として表示される映像信号を含んでいることが好ましい。
【００１９】
一態様においては、データ伝送インタフェースは、ＨＤＭＩインタフェースであることが好ましい。
【００２０】
別の一態様は、立体映像再生装置における立体映像再生方法であって、３Ｄコンテンツのストリームデータに基づいて３Ｄコンテンツの３Ｄ映像信号および３Ｄコンテンツの音声信号を出力するステップと、所定の２Ｄ映像信号を発生するステップと、３Ｄコンテンツの音声信号および所定の２Ｄ映像信号を、２Ｄ映像伝送用フォーマットに準拠した信号に変換しデータ伝送インタフェースから外部機器へ出力するステップと、を有する立体映像再生方法である。
【発明の効果】
【００２１】
本実施の形態の立体映像再生装置は、３Ｄ再生信号に対応しないシンク機器に対し３Ｄコンテンツの音声を出力することができる。
【図面の簡単な説明】
【００２２】
【図１】実施の形態による立体映像再生装置、および、それと接続されるシンク機器の概略図
【図２】立体映像再生装置の構成を示すブロック図
【図３】第２データ伝送インタフェースの詳細を示すブロック図
【図４】映像表示装置のブロック図
【図５】ＡＶアンプのブロック図
【図６】立体映像再生装置がする処理のフローチャート
【図７】立体映像再生装置がする切換スイッチの切換動作にかかるフローチャート
【発明を実施するための形態】
【００２３】
以下、実施の形態について、詳細に説明する。
【００２４】
１．概要
本実施の形態は、立体映像再生装置である。該立体映像再生装置は、出力端子として複数系統（例えば、２系統）のＨＤＭＩインタフェースを備える。該立体映像再生装置は、ＨＤＭＩインタフェースそれぞれに接続された複数のシンク機器の３Ｄ映像対応／非対応の組みあわせに応じて、各ＨＤＭＩインタフェースから送出する映像信号の内容を、再生すべきコンテンツの映像信号と、所定の非３Ｄ映像信号と、の間で切り換えて出力する。
【００２５】
そうすることで、本実施の形態にかかる立体映像再生装置は、例えば、第１のＨＤＭＩインタフェースに、３Ｄ再生信号に対応した３Ｄディスプレイが接続され、かつ、第２のＨＤＭＩインタフェースに、３Ｄ再生信号に対応しないＡＶアンプが接続されるような場合には、３Ｄコンテンツの再生において、第１ＨＤＭＩインタフェースから、３Ｄコンテンツの３Ｄ映像を送出するとともに、第２ＨＤＭＩインタフェースから、所定の非３Ｄ映像信号に合成された、３Ｄ映像用音声信号を送出する。
【００２６】
こうすることにより、本実施の形態においては、３Ｄ再生信号に対応したシンク機器と３Ｄ再生信号に対応しないシンク機器とが同時に接続されるような状況においても、各シンク機器に対し、３Ｄコンテンツに含まれる３Ｄ映像や当該３Ｄ映像に関連した音声（３Ｄ映像用音声）のデータを送出することが可能である。これにより、本実施の形態の立体映像再生装置と、３Ｄ再生信号に対応した映像表示装置と、３Ｄ再生信号に非対応のＡＶアンプとで、ＡＶシステムが構成されるような場合において３Ｄコンテンツを再生する場合、映像表示装置に３Ｄコンテンツの３Ｄ映像をさせつつ、ＡＶアンプから同コンテンツの３Ｄ映像用音声を出力させることが可能になる。
【００２７】
２．構成
図１は、本実施の形態による立体映像再生装置１００を含んだＡＶシステムの構成概略図である。立体映像再生装置１００は、第１ＨＤＭＩ端子１５１、および、第２ＨＤＭＩ端子１５２を備える。第１ＨＤＭＩ端子１５１は、映像表示装置２００のＨＤＭＩ端子２５１と接続され、第２ＨＤＭＩ端子１５２は、ＡＶアンプ３００のＨＤＭＩ端子３５１と接続されている。
【００２８】
立体映像再生装置１００と映像表示装置２００との接続、および、立体映像再生装置１００とＡＶアンプ３００との接続には、共に、ＨＤＭＩ  Ｖｅｒ．１．４に準拠したＨＤＭＩケーブルを用いてよい。ＨＤＭＩ  Ｖｅｒ．１．４に準拠したインタフェースでは、相互に接続される機器の間で、認証及び機器情報の通信が可能であり、かつ、シンク機器が３Ｄ再生信号に対応する場合には、３Ｄ再生信号信号を所定の３Ｄ映像伝送用フォーマットで伝送することも可能である。
【００２９】
以下に示す例では、映像表示装置２００は、３Ｄ再生信号に対応した映像表示装置であるとして、立体映像再生装置１００の動作について説明している。しかしながら、映像表示装置２００は、３Ｄ再生信号に対応しない映像表示装置であってもよい。
【００３０】
以下に示す例では、ＡＶアンプ３００は、３Ｄ映像の再生およびパススルーの両方に対応しないＡＶアンプ（音声再生装置）であるとして、立体映像再生装置１００の動作について説明している。しかしながら、ＡＶアンプ３００は、３Ｄ映像の再生および／またはパススルーに対応したＡＶアンプ（音声再生装置）であってもよい。
【００３１】
また、ＡＶアンプ３００の代わりに、第２ＨＤＭＩ端子１５２に映像表示装置を接続することも可能である。
【００３２】
また、立体映像再生装置１００は、３系統以上のＨＤＭＩインタフェースを備えてもよい。
【００３３】
図２は、立体映像再生装置１００の構成を示すブロック図である。
【００３４】
立体映像再生装置１００は、再生すべきコンテンツのストリームデータを出力するデータソース部１１０、コンテンツのストリームデータをデコードするデータ生成部１３０、デコードされた、３Ｄ映像信号もしくは２Ｄ映像信号、ならびに、デコードされたもしくはストリームデータのままの、音声信号を入力し、処理し、外部接続機器へ送出するデータ出力部１５０を有する。
【００３５】
データソース部１１０は、光ディスクに記録された３Ｄ／２Ｄコンテンツのストリームデータを読み出して出力する光ディスクドライブ１１１と、アンテナが受信した放送波から３Ｄ／２Ｄコンテンツのストリームデータを生成し出力するチューナ１１２と、コンテンツ・サーバ等からネットワークを介して３Ｄ／２Ｄコンテンツのストリームデータを受け取って出力するネットワーク通信インタフェース１１３と、ＳＤカード等のメモリカードから３Ｄ／２Ｄコンテンツのストリームデータを受け取って出力するメモリデバイスインタフェース１１４と、３Ｄ／２Ｄコンテンツのストリームデータを蓄積し適宜出力するハードディスクドライブ１１５と、を有する。
【００３６】
データ生成部１３０は、立体映像再生装置１００における所謂システムコントローラとして動作する。
【００３７】
データ生成部１３０は、データソース部１１０から入力されるストリームデータを選択するストリームコントローラ１３３と、ストリームコントローラ１３３によって選択されたストリームデータをデコードするデコーダ１３２と、デコーダ１３２によってデコードされた３Ｄ映像の、もしくは、２Ｄ映像の信号、ならびに、デコーダ１３２によってデコードされた、もしくは、ストリームコントローラ１３３からストリームデータのまま抽出された音声信号、を入力し処理してデータ出力部１５０へ出力するＡＶ入出力部１３４と、立体映像再生装置１００全体を制御する中央処理装置１３１（ＣＰＵ）と、を有する。ＣＰＵ１３１と、デコーダ１３２と、ストリームコントローラ１３３と、ＡＶ入出力部１３４とは、データバス１３５によって、相互にデータ送受信可能に接続される。
【００３８】
データ出力部１５０は、データ生成部１３０から送られる映像信号および音声信号を外部接続機器へ送出するための、２系統のデータ伝送インタフェース１６１、１６２を有する。第１データ伝送インタフェース１６１は、第１ＨＤＭＩ端子１５１を備えるＨＤＭＩインタフェースである。第２データ伝送インタフェース１６２は、第２ＨＤＭＩ端子１５２を備えるＨＤＭＩインタフェースである。第１および第２のデータ伝送インタフェース１６１および１６２は、制御信号線（Ｃｔｒｌ）により、データバス１３５を介してＣＰＵ１３１と接続されており、ＣＰＵ１３１は、第１および第２のデータ伝送インタフェース１６１および１６２を制御することができる。
【００３９】
図３は、第２データ伝送インタフェース１６２の詳細を示すブロック図である。第２データ伝送インタフェース１６２は、Ｉ２Ｃインタフェース１６７を備え、Ｉ２Ｃインタフェース１６７を介してＣＰＵ１３１と通信することができる。例えば、Ｉ２Ｃインタフェース１６７は、ＣＰＵ１３１が出力する制御信号Ｃｔｒｌを受信することにより、ＣＰＵ１３１の制御下で動作することができる。
【００４０】
第２データ伝送インタフェース１６２は、ＡＶ入出力部１３４から送られる音声信号（Ａｕｄｉｏ）、および、映像信号（Ｖｉｄｅｏ）を入力することができる。上述のように、音声信号（Ａｕｄｉｏ）は、デコーダ１３２によってデコードされた、もしくは、ストリームコントローラ１３３からストリームデータのまま抽出された音声信号でよい。映像信号（Ｖｉｄｅｏ）は、デコーダ１３２によってデコードされた３Ｄ映像の、もしくは、２Ｄ映像の信号でよい。
【００４１】
音声信号（Ａｕｄｉｏ）は、重畳回路１６４へ入力される。重畳回路１６４は、音声信号（Ａｕｄｉｏ）を切替回路１６３から出力される信号に重畳することができる回路である。
【００４２】
映像信号（Ｖｉｄｅｏ）は、切替回路１６３の入力端子の１つへ入力される。ここで、切替回路１６３は、複数の入力端子を有し、１つ以上の出力端子を備え、ＣＰＵ１３１の制御下で複数の入力から出力を選択することができるスイッチであればよい。
【００４３】
切替回路１６３の別の入力端子には、２Ｄ映像信号発生部１６６の出力が接続される。
【００４４】
２Ｄ映像信号発生部１６６は、所定の２Ｄ映像信号を生成し、出力することができる。所定の２Ｄ映像信号は、２Ｄ映像信号であればよく、例えば、２Ｄ映像伝送用フォーマットでシンク機器へ送出可能な同期信号（２Ｄ映像表示で用いられる同期信号）である。また、例えば、所定の２Ｄ映像信号は、実際に映像表示装置に２Ｄ映像として表示された場合には、黒画面として表示されるような信号（２Ｄ黒映像信号）であってもよい。２Ｄ黒映像信号は、信号レベルの変動が極めて少ない信号であり、音声信号が同信号に重畳されて送出される場合、音声信号に対する干渉が極めて少ない。よって、音声信号の品質向上効果が期待できる。
【００４５】
切替回路１６３の出力端子からは、ＡＶ入出力部１３４から出力された映像信号（Ｖｉｄｅｏ）、および、所定の２Ｄ映像信号のいずれかが出力される。切替回路１６３から出力された信号は、重畳回路１６４へ入力される。入力された映像信号（映像信号（Ｖｉｄｅｏ）、または、所定の２Ｄ映像信号）は、音声信号（Ａｕｄｉｏ）と重畳され、ＨＤＭＩフォーマット変換部１６５に入力される。
【００４６】
ＨＤＭＩフォーマット変換部１６５は、入力された信号を、ＨＤＭＩ  Ｖｅｒ．１．４の規格に準拠した伝送フォーマットに変換して出力することができるＨＤＭＩフォーマット変換回路であればよい。例えば、ＨＤＭＩフォーマット変換部１６５は、重畳回路１６４の出力を、３Ｄ映像伝送用フォーマットに変換して３Ｄ再生信号として出力することができる。また、例えば、ＨＤＭＩフォーマット変換部１６５は、重畳回路１６４の出力を、２Ｄ映像伝送用フォーマットに変換して２Ｄ再生信号として出力することができる。ＨＤＭＩフォーマット変換部１６５が、重畳回路１６４の出力を３Ｄ／２Ｄ映像伝送用フォーマットのいずれに変換するかは、ＣＰＵ１３１の制御により決定されてよい。
【００４７】
第２ＨＤＭＩ端子１５２は、ＨＤＭＩフォーマット変換部１６５の出力を入力し、外部接続機器（シンク機器）へ送出する。
【００４８】
なお、第１データ伝送インタフェース１６１も、第２データ伝送インタフェース１６２と同様の構成を有してよい。あるいは、第１データ伝送インタフェース１６１は、従来のＨＤＭＩインタフェースと同様の構成であってもよい。後者の場合、第１データ伝送インタフェース１６１は、第２データ伝送インタフェース１６２の切替回路１６３、重畳回路１６４、および、２Ｄ映像信号発生部１６６に相当する構成を備えなくともよい。
【００４９】
なお、立体映像再生装置１００は、３系統以上のデータ伝送インタフェースを備えることもできる。その場合、３系統以上のデータ伝送インタフェースのうち、少なくとも１つのデータ伝送インタフェースが第２データ伝送インタフェース１６２の構成を備えればよい。
【００５０】
図４は、映像表示装置２００の構成を示すブロック図である。上述のように、映像表示装置２００は、３Ｄ再生信号に対応した３Ｄディスプレイ、または、３Ｄ再生信号に対応しないディスプレイであってよい。図４には、映像表示装置２００として、３Ｄ再生信号に対応した３Ｄディスプレイを示す。
【００５１】
立体映像再生装置１００は、３Ｄ／２Ｄ映像信号および当該映像のための音声信号を、所定のフォーマット（３Ｄ映像伝送用／２Ｄ映像伝送用フォーマット）で、３Ｄ再生信号／２Ｄ再生信号として、映像表示装置２００へ送出することができる。映像表示装置２００は、データ伝送インタフェース２６１のＨＤＭＩ端子２５１において３Ｄ／２Ｄ再生信号を入力する。入力された３Ｄ／２Ｄ再生信号は、メモリ２１３に格納され、コントローラ２１１によって処理される。処理された３Ｄ／２Ｄ映像信号は、ディスプレイパネル２１５へ出力され、表示される。また、コントローラ２１１は、通信インタフェース２１７に対し、アクティブ・シャッター・メガネ２１９を制御する制御信号を出力する。アクティブ・シャッター・メガネ２１９は、通信インタフェース２１７との無線通信により制御信号を受信し、左目用シャッターおよび右目用シャッターの開閉を行う。観察者は、アクティブ・シャッター・メガネ２１９を装着してディスプレイパネル２１５を見ることにより、右目と左目とで視差を有する３Ｄ映像を見ることができる。
【００５２】
なお、映像表示装置２００は、入力した音声信号に基づいて音声を出力するための構成を備えてもよい。
【００５３】
図５は、ＡＶアンプ３００の構成を示すブロック図である。上述のように、ＡＶアンプ３００は、３Ｄ再生信号に対応したＡＶアンプ、または、３Ｄ再生信号に対応しないＡＶアンプであってよい。図５には、ＡＶアンプ３００として、３Ｄ再生信号に対応しないＡＶアンプを示す。
【００５４】
立体映像再生装置１００は、前述のように２Ｄ映像信号および２Ｄ映像のための音声信号を、所定のフォーマット（２Ｄ映像伝送用フォーマット）で、２Ｄ再生信号として、ＡＶアンプ３００へ送出することができる。ＡＶアンプ３００は、データ伝送インタフェース３６１のＨＤＭＩ端子３５１において２Ｄ映像信号および２Ｄ映像のための音声信号を入力する。入力された２Ｄ映像信号および音声信号は、メモリ３１３に格納されコントローラ３１１によって処理され、音声信号のみが抽出される。コントローラ３１１は、抽出した音声信号がストリームデータである場合には、当該ストリームデータをデコードし、さらにアナログ音声信号に変換する。コントローラ３１１は、抽出した音声信号がデコードされたデータである場合には、それをアナログ音声信号に変換する。そして、コントローラ３１１は、アナログ音声信号を音声出力部３１５へ出力する。音声出力部３１５は、アナログ音声信号に基づいてスピーカ３１７を駆動する。このようにして、音声がスピーカ３１７から出力される。
【００５５】
３．動作
これより図６および図７を参照し、立体映像再生装置１００の動作について説明する。以下の説明では、立体映像再生装置１００が３Ｄコンテンツを再生する際に行う処理が説明される。以下に説明する処理は、立体映像再生装置１００に予めインストールされたプログラムをＣＰＵ１３１が解釈して実行することで実現可能である。また、当該プログラムは、立体映像再生装置１００が光ディスクやメモリカードといった記憶媒体からロードしてＣＰＵ１３１により実行されてもよい。また、プログラムは、放送波を介して配信されてもよい。また、プログラムは、ネットワークを介して配信されてもよい。
【００５６】
なお、立体映像再生装置１００が２Ｄコンテンツ（立体視可能な映像表示を行わないコンテンツ）を再生する際の処理は、本実施の形態の特徴との関連が低いため、ここでは、その説明を省略する。ただし、立体映像再生装置１００は、２Ｄコンテンツの再生も可能である。
【００５７】
立体映像再生装置１００は、複数系統のデータ伝送インタフェース（図２では、２系統。）を備え、各データ伝送インタフェースに、映像表示装置やＡＶアンプ等を接続し、コンテンツのデータを送出可能である。以下では、立体映像再生装置１００は、図２のように２系統のデータ伝送インタフェースを有するものとして、その動作の説明を行う。
【００５８】
立体映像再生装置１００は、シンク機器が第１データ伝送インタフェース１６１および第２データ伝送インタフェース１６２に物理的に接続されると、ホットプラグ機能により当該物理的な接続を検出し、接続されたシンク機器の機器認証動作を開始する。機器認証においては、ソース機器およびシンク機器は、各々の機器情報を接続先の機器に対して通知する。当該機器認証動作により、立体映像再生装置１００は、接続されたシンク機器が、映像表示装置であるか、ＡＶアンプであるか、等を認識することができる。また、立体映像再生装置１００は、接続されたシンク機器が、３Ｄ再生信号に対応しているか否か、等を認識することができる。
【００５９】
立体映像再生装置１００は、上記機器認証の結果得たシンク機器に関する情報に基づき、第１および第２データ伝送インタフェース１６１および１６２に接続されるシンク機器の組みあわせが、映像表示装置とＡＶアンプとであるか、２台の映像表示装置であるか、を判断する（ステップＳ１）。
【００６０】
なお、シンク機器の組みあわせとしては、２台のＡＶアンプである場合等、他にも様々な組みあわせが考えられるが、本実施の形態の特徴を説明する上でそのような組みあわせは関連性が低いため、ここでは、説明を省略する。以下では、立体映像再生装置１００の第１データ伝送インタフェース１６１に映像表示装置が接続され、第２データ伝送インタフェース１６２に映像表示装置またはＡＶアンプが接続される場合における立体映像再生装置１００の動作について説明する。
【００６１】
接続されたシンク機器の組みあわせが、映像表示装置とＡＶアンプとの組みあわせである場合、立体映像再生装置１００は、映像表示装置が３Ｄ映像の再生に対応した映像表示装置であるか否かを判断する（ステップＳ２）。
【００６２】
接続された映像表示装置が３Ｄ再生信号の処理に対応した映像表示装置である場合（ステップＳ２における「ＹＥＳ」）、立体映像再生装置１００は、接続されたＡＶアンプが３Ｄ再生信号の処理に対応したＡＶアンプであるか、否か、を判断する（ステップＳ３）。
【００６３】
接続されたＡＶアンプが３Ｄ再生信号の処理に対応しないＡＶアンプである場合（ステップＳ３における「ＮＯ」）、立体映像再生装置１００は、後述する映像信号切換フラグをオンにセットする（ステップＳ４）。
【００６４】
図７は、ステップＳ４、ならびに、後述するステップＳ６、Ｓ８、および、Ｓ１０と関連して立体映像再生装置１００のＣＰＵ１３１が実行する処理のフローチャートである。
【００６５】
ステップＳ４のように映像信号切換フラグがオンにセットされた場合（ステップＳ２１における「ＹＥＳ」）には、ＣＰＵ１３１は、第２データ伝送インタフェース１６２に対し、切替回路１６３の出力を２Ｄ映像信号発生部１６６からの入力にする指示を送る。これにより、第２データ伝送インタフェース１６２の重畳回路１６４には、所定の２Ｄ映像信号が入力され、所定の２Ｄ映像信号と音声信号（Ａｕｄｉｏ）とが重畳されて、ＨＤＭＩフォーマット変換部１６５へ出力される。
【００６６】
一方、映像信号切換フラグがオフにセットされた場合（ステップＳ２１における「ＮＯ」）には、ＣＰＵ１３１は、第２データ伝送インタフェース１６２に対し、切替回路１６３の出力をＡＶ入出力部１３４から入力される映像信号（Ｖｉｄｅｏ）とする指示を送る。これにより、第２データ伝送インタフェース１６２の重畳回路１６４には、ＡＶ入出力部１３４が出力する映像信号（Ｖｉｄｅｏ）が入力され、映像信号（Ｖｉｄｅｏ）と音声信号（Ａｕｄｉｏ）とが重畳されて、ＨＤＭＩフォーマット変換部１６５へ出力される。
【００６７】
図６を再び参照し、ステップＳ５において、立体映像再生装置１００は、３Ｄコンテンツの送出を行う。具体的には、デコーダ１３２が３Ｄコンテンツのストリームデータを３Ｄ映像としてデコードし、デコードされた３Ｄコンテンツの３Ｄ映像、および、３Ｄコンテンツの音声信号（音声信号は、ストリームデータのままでもよい）を、ＡＶ入出力部１３４へ出力する。ＡＶ入出力部１３４は、第１データ伝送インタフェース１６１、および、第２データ伝送インタフェース１６２の両方へ、３Ｄコンテンツの３Ｄ映像および３Ｄコンテンツの音声信号を送る。
【００６８】
第１データ伝送インタフェース１６１からは、接続された映像表示装置に対し、３Ｄコンテンツの３Ｄ映像および音声信号が、３Ｄ再生信号として、３Ｄ映像伝送フォーマットで送出される。
【００６９】
第２データ伝送インタフェース１６２においては、切替回路１６３が２Ｄ映像信号発生部１６６からの入力を重畳回路１６４へ出力するように制御されている。そのため、第２データ伝送インタフェース１６２からは、接続されたＡＶアンプに対し、所定の２Ｄ映像信号および３Ｄコンテンツの音声信号が、２Ｄ再生信号として、２Ｄ映像伝送フォーマットで送出される。
【００７０】
他方、接続されたＡＶアンプが３Ｄ再生信号の処理に対応したＡＶアンプである場合（ステップＳ３における「ＹＥＳ」）、立体映像再生装置１００は、映像信号切換フラグをオフにセットする（ステップＳ６）。
【００７１】
ステップＳ６のように映像信号切換フラグがオフにセットされた場合には、ＣＰＵ１３１は、第２データ伝送インタフェース１６２に対し、切替回路１６３の出力をＡＶ入出力部１３４からの入力にする指示を送る。これにより、第２データ伝送インタフェース１６２の重畳回路１６４には、ＡＶ入出力部１３４が出力する映像信号（Ｖｉｄｅｏ）が入力され、映像信号（Ｖｉｄｅｏ）と音声信号（Ａｕｄｉｏ）とが重畳されて、ＨＤＭＩフォーマット変換部１６５へ出力される。
【００７２】
第１データ伝送インタフェース１６１からは、接続された映像表示装置に対し、３Ｄコンテンツの３Ｄ映像および音声信号が、３Ｄ再生信号として、３Ｄ映像伝送フォーマットで送出される。そして、第２データ伝送インタフェース１６２からは、接続されたＡＶアンプに対し、３Ｄコンテンツの３Ｄ映像および音声信号が、３Ｄ再生信号として、３Ｄ映像伝送フォーマットで送出される（ステップＳ７）。
【００７３】
次に、ステップＳ２において、接続された映像表示装置が３Ｄ映像再生信号の処理に対応しない映像表示装置である場合（ステップＳ２における「ＮＯ」）、立体映像再生装置１００は、映像信号切換フラグをオフにセットする（ステップＳ８）。
【００７４】
そして、立体映像再生装置１００は、３Ｄ映像を含まないコンテンツの送出を行う。具体的には、デコーダ１３２がコンテンツのストリームデータを２Ｄ映像としてデコードし、デコードされたコンテンツの２Ｄ映像、および、コンテンツの音声信号（音声信号は、ストリームデータのままでもよい）を、ＡＶ入出力部１３４へ出力する。ＡＶ入出力部１３４は、第１データ伝送インタフェース１６１、および、第２データ伝送インタフェース１６２の両方へ、コンテンツの２Ｄ映像およびコンテンツの音声信号を送る。第１データ伝送インタフェース１６１および第２データ伝送インタフェース１６２からは、接続された映像表示装置およびＡＶアンプに対し、コンテンツの２Ｄ映像および音声信号が、２Ｄ再生信号として、２Ｄ映像伝送フォーマットで送出される（ステップＳ９）。
【００７５】
次に、ステップＳ１において、接続されたシンク機器の組みあわせが、２台の映像表示装置であると判断された場合、立体映像再生装置１００は、映像信号切換フラグをオフにセットする（ステップＳ１０）。
【００７６】
そして、立体映像再生装置１００は、接続された２台の映像表示装置が、共に、３Ｄ再生信号の処理に対応した映像表示装置であるか、否か、を判断する（ステップＳ１１）。
【００７７】
接続された２台の映像表示装置が、共に、３Ｄ再生信号の処理に対応した映像表示装置である場合（ステップＳ１１における「ＹＥＳ」）、立体映像再生装置１００は、３Ｄコンテンツの送出を行う。具体的には、具体的には、デコーダ１３２が３Ｄコンテンツのストリームデータを３Ｄ映像としてデコードし、デコードされた３Ｄコンテンツの３Ｄ映像、および、３Ｄコンテンツの音声信号（音声信号は、ストリームデータのままでもよい）を、ＡＶ入出力部１３４へ出力する。ＡＶ入出力部１３４は、第１データ伝送インタフェース１６１、および、第２データ伝送インタフェース１６２の両方へ、３Ｄコンテンツの３Ｄ映像および３Ｄコンテンツの音声信号を送る。第１データ伝送インタフェース１６１および第２データ伝送インタフェース１６２からは、接続された２台の映像表示装置に対し、３Ｄコンテンツの３Ｄ映像および音声信号が、３Ｄ再生信号として、３Ｄ映像伝送フォーマットで送出される（ステップＳ１２）。
【００７８】
他方、接続された２台の映像表示装置のうちの少なくとも１台が３Ｄ再生信号の処理に対応しない映像表示装置である場合（ステップＳ１１における「ＮＯ」）、立体映像再生装置１００は、３Ｄ映像を含まないコンテンツの送出を行う。具体的には、デコーダ１３２がコンテンツのストリームデータを２Ｄ映像としてデコードし、デコードされたコンテンツの２Ｄ映像、および、コンテンツの音声信号（音声信号は、ストリームデータのままでもよい）を、ＡＶ入出力部１３４へ出力する。ＡＶ入出力部１３４は、第１データ伝送インタフェース１６１、および、第２データ伝送インタフェース１６２の両方へ、コンテンツの２Ｄ映像およびコンテンツの音声信号を送る。第１データ伝送インタフェース１６１および第２データ伝送インタフェース１６２からは、接続された２台の映像表示装置に対し、コンテンツの２Ｄ映像および音声信号が、２Ｄ再生信号として、２Ｄ映像伝送フォーマットで送出される（ステップＳ１３）。
【００７９】
４．まとめ
このように、本実施の形態の立体映像再生装置１００は、複数系統のデータ伝送インタフェースを有し、各データ伝送インタフェースに接続された複数のシンク機器の仕様に基づいて、各データ伝送インタフェースから送出する映像信号、および、送出に用いる伝送フォーマットを切り換えることができる。そうすることにより、３Ｄ映像に対応した映像表示装置と、３Ｄ映像に対応しないＡＶアンプとが立体映像再生装置１００に接続されてなるＡＶシステムにおいて、映像表示装置に対し３Ｄ映像を３Ｄ再生信号として送出しつつ、ＡＶアンプに対し当該３Ｄ映像の音声を２Ｄ再生信号として送出することができる。よって、ユーザは、３Ｄ映像に対応した映像表示装置で３Ｄ映像を鑑賞しながら、３Ｄ映像に対応しないＡＶアンプで３Ｄコンテンツの音声を高音質再生させることが可能になる。つまり、立体映像再生装置１００は、接続された映像表示装置が３Ｄ映像の再生に対応している場合には、別系統のデータ伝送インタフェースを介して３Ｄ映像の再生およびパススルーに対応しないＡＶアンプが接続されていたとしても、３Ｄコンテンツの再生が可能となっている。
【００８０】
なお、立体映像再生装置１００のデータ伝送インタフェースは、ＨＤＭＩインタフェースに限定されない。
【００８１】
なお、音声信号に関し、デコーダ部１３２がストリームデータをデコードするか、ストリームデータのままシンク機器へ送信するかは、立体映像再生装置の設定により任意に選択可能であってよい。
【００８２】
なお、音声再生装置には、ＡＶアンプが含まれ、これに限定されない。音声再生装置には、ＨＤＭＩインタフェースといったオーディオ・ビデオ用デジタルインタフェースを備えたオーディオ・アンプも含まれる。
【産業上の利用可能性】
【００８３】
本実施の形態は、ＨＤＭＩインタフェースといったオーディオ・ビデオ用インタフェースを備えた立体映像再生装置として有用である。
【符号の説明】
【００８４】
１００  ・・・  立体映像再生装置
１１０  ・・・  データソース部
１１１  ・・・  光ディスクドライブ
１１２  ・・・  チューナ
１１３  ・・・  ネットワーク通信インタフェース
１１４  ・・・  メモリデバイスインタフェース
１１５  ・・・  ハードディスクドライブ
１３０  ・・・  データ生成部（システムコントローラ）
１３１  ・・・  中央処理装置（ＣＰＵ）
１３２  ・・・  デコーダ
１３３  ・・・  ストリームコントローラ
１３４  ・・・  ＡＶ入出力部
１３５  ・・・  データバス
１５０  ・・・  データ出力部
１５１  ・・・  立体映像再生装置の第１ＨＤＭＩ端子
１６１  ・・・  立体映像再生装置の第１データ伝送インタフェース
１５２  ・・・  立体映像再生装置の第２ＨＤＭＩ端子
１６２  ・・・  立体映像再生装置の第２データ伝送インタフェース
１６３  ・・・  切替回路（スイッチ）
１６４  ・・・  重畳回路
１６５  ・・・  ＨＤＭＩフォーマット変換部
１６６  ・・・  ２Ｄ映像信号（非立体映像信号）発生部
１６７  ・・・  Ｉ２Ｃインタフェース
２００  ・・・  映像表示装置
２１１  ・・・  コントローラ
２１３  ・・・  メモリ
２１５  ・・・  ディスプレイパネル
２１７  ・・・  通信インタフェース
２１９  ・・・  アクティブ・シャッター・メガネ
２５１  ・・・  映像表示装置のＨＤＭＩ端子
２６１  ・・・  映像表示装置のデータ伝送インタフェース
３００  ・・・  ＡＶアンプ
３１１  ・・・  コントローラ
３１３  ・・・  メモリ
３１５  ・・・  音声出力部
３１７  ・・・  スピーカ
３５１  ・・・  ＡＶアンプのＨＤＭＩ端子
３６１  ・・・  ＡＶアンプのデータ伝送インタフェース
【図１】
2011155640.tif 000003
【図２】
2011155640.tif 000004
【図３】
2011155640.tif 000005
【図４】
2011155640.tif 000006
【図５】
2011155640.tif 000007
【図６】
2011155640.tif 000008
【図７】
2011155640.tif 000009